(57)【要約】【課題】  ＳＤカードやミニＳＤカード以外に、トランスフラッシュカードも収納可能なメモリカード収納ケースを提供する。【解決手段】  ベースと、該べースと組合わされる摺動可能なカバー体からなり、該ベースの中央にＳＤカードに対応する第１収納部が形成されると共に、該第１収納部の中央にミニＳＤカードに対応する第２収納部が形成され、該ベースの両側に一端にストッパーを有する係合リブが形成され、該カバー体の両側にベースの係合リブに対応する係合溝が形成され、該係合溝の一端に該ストッパーと対応するストッパーが設けられることにより、ベースをカバー体から脱落しないように該カバー体の内部に収納するメモリカード収納ケースであって、  前記第２収納部の中央にトランスフラッシュカードを収納するための第３収納部が形成されることを特徴とする。【選択図】  図１
0003115674.tif 000002
【実用新案登録請求の範囲】
【請求項１】
ベースと、該べースと組合わされる摺動可能なカバー体からなり、該ベースの中央にＳＤカードに対応する第１収納部が形成されると共に、該第１収納部の中央にミニＳＤカードに対応する第２収納部が形成され、該ベースの両側に一端にストッパーを有する係合リブが形成され、該カバー体の両側にベースの係合リブに対応する係合溝が形成され、該係合溝の一端に該ストッパーと対応するストッパーが設けられることにより、ベースをカバー体から脱落しないように該カバー体の内部に収納するメモリカード収納ケースであって、
前記第２収納部の中央にトランスフラッシュカードを収納するための第３収納部が形成されることを特徴とするメモリカード収納ケース。
【請求項２】
前記第３収納部の一側にトランスフラッシュカードを強固に位置決めするために位置決めブロックが設けられることを特徴とする請求項１に記載のメモリカード収納ケース。
【請求項３】
前記第２収納部の深さはミニＳＤカードの厚さより小さいことを特徴とする請求項１又は２に記載のメモリカード収納ケース。
【考案の詳細な説明】
【技術分野】
【０００１】
本考案は、特に異なるサイズのメモリカードを収納可能なメモリカード収納ケースに関するものである。
【背景技術】
【０００２】
デスクトップ型パソコンやノートブック型パソコン、デジタルカメラなどの電子部品に用いられるメモリカードを収納するために、一般にメモリカード収納ケースが使用されている。
【０００３】
前記メモリカードは、使用目的により、例えば、異なるサイズのＳＤカードやミニＳＤカードなどが用いられる。図５及び図６に示すように、従来のメモリカード収納ケースは、ベース（５０）と、該べース（５０）と組合わされる摺動可能なカバー体（６０）からなり、該ベース（５０）の中央にＳＤカード（７０）に対応する第１収納部（５１）が形成されると共に、該第１収納部（５１）の中央にミニＳＤカードに対応する第２収納部（５２）が形成され、該ベース（５０）の両側に一端にストッパー（５４）を有する係合リブ（５３）が形成され、該カバー体（６０）の両側にベース（５０）の係合リブ（５３）に対応する係合溝（６１）が形成され、該係合溝（６１）の一端に該ストッパー（５４）にと対応するストッパー（６２）が設けられることにより、ベース（５０）をカバー体（６０）から脱落しないように該カバー体（６０）の内部に収納する。
【考案の開示】
【考案が解決しようとする課題】
【０００４】
しかしながら、前記従来のメモリカード収納ケースは、ＳＤカードやミニＳＤカードを同時に収納することはできるが、ミニＳＤカードより小さいトランスフラッシュカード（ＴｒａｎｓＦｌａｓｈ  Ｃａｒｄ）を同時に収納することができないので、更に改良する必要があった。
【０００５】
そこで、案出されたのが本考案であって、ＳＤカードやミニＳＤカード以外に、トランスフラッシュカードも収納可能なメモリカード収納ケースを提供することを目的としている。
【課題を解決するための手段】
【０００６】
本願の請求項１の考案は、ベースと、該べースと組合わされる摺動可能なカバー体からなり、該ベースの中央にＳＤカードに対応する第１収納部が形成されると共に、該第１収納部の中央にミニＳＤカードに対応する第２収納部が形成され、該ベースの両側に一端にストッパーを有する係合リブが形成され、該カバー体の両側にベースの係合リブに対応する係合溝が形成され、該係合溝の一端に該ストッパーと対応するストッパーが設けられることにより、ベースをカバー体から脱落しないように該カバー体の内部に収納するメモリカード収納ケースであって、
前記第２収納部の中央にトランスフラッシュカードを収納するための第３収納部が形成されることを特徴とするメモリカード収納ケース、を提供する。
【０００７】
本願の請求項２の考案は、前記第３収納部の一側にトランスフラッシュカードを強固に位置決めるために位置決めブロックが設けられることを特徴とする請求項１に記載のメモリカード収納ケース、を提供する。
【０００８】
本願の請求項３の考案は、前記第２収納部の深さはミニＳＤカードの厚さより小さいことを特徴とする請求項１又は２に記載のメモリカード収納ケース、を提供する。
【考案の効果】
【０００９】
本考案は上記の課題を解決するものであり、ＳＤカードを収納するための第１収納部とミニＳＤカードを収納するための第２収納部を有するベースにトランスフラッシュカードを収納するための第３収納部が形成されるので、より体積の小さいトランスフラッシュカードでも収納することができる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係るメモリカード収納ケースの分解斜視図であり、図２は本考案に係るメモリカード収納ケースの使用状態を示す分解断面図であり、図３は本考案に係るメモリカード収納ケースの他の使用状態を示す分解断面図であり、図４は本考案に係るメモリカード収納ケースの他の使用状態を示す断面図である。
【００１２】
図１に示すように、本考案は、ベース（１０）と、該べース（１０）と組合わされる摺動可能なカバー体（２０）からなり、該ベース（１０）の中央にＳＤカード（４０）に対応する第１収納部（１１）が形成されると共に、該第１収納部（１１）の中央にミニＳＤカード（４１）に対応する第２収納部（１２）が形成され、該ベース（１０）の両側に一端にストッパー（１５）を有する係合リブ（１４）が形成され、該カバー体（２０）の両側にベース（１０）の係合リブ（１４）に対応する係合溝（２１）が形成され、該係合溝（２１）の一端に該ストッパー（１５）と対応するストッパー（２２）が設けられることにより、ベース（１０）をカバー体（２０）から脱落しないように該カバー体（２０）の内部に収納するメモリカード収納ケースであって、
前記第２収納部（１２）の中央にトランスフラッシュカード（４２）を収納するための第３収納部（１３）が形成され、該第３収納部（１３）の一側にトランスフラッシュカード（４２）を強固に位置決めるために位置決めブロック（１６）が設けられる。
【００１３】
図２に示すように、前記第２収納部（１２）の深さはミニＳＤカード（４１）の厚さより小さいことにより、使用者は該第２収納部（１２）から上方へ突出するミニＳＤカード（４１）の上縁によって該ミニＳＤカード（４１）を取り出すことができる。
【００１４】
又、図３に示すように、本考案に係るメモリカード収納ケースは、第１収納部（１１）、第２収納部（１２）及び第３収納部（１３）を有するので、使用者の必要に応じて同時にＳＤカード（４０）とトランスフラッシュカード（４２）を収納することができる。
【００１５】
図４に示すように、トランスフラッシュカード（４２）をベース（１０）から取出しようとする場合、指先によって第３収納部（１３）に応じてベース（１０）の底部を押圧することにより、該トランスフラッシュカード（４２）を第３収納部（１３）から取り出すことができる。
【産業上の利用可能性】
【００１６】
本考案は上記の構成を有し、ＳＤカードを収納するための第１収納部とミニＳＤカードを収納するための第２収納部を有するベースにトランスフラッシュカードを収納するための第３収納部が形成されるので、より体積の小さいトランスフラッシュカードでも収納することができる。
【図面の簡単な説明】
【００１７】
【図１】本考案に係るメモリカード収納ケースの分解斜視図である。
【図２】本考案に係るメモリカード収納ケースの使用状態を示す分解断面図である。
【図３】本考案に係るメモリカード収納ケースの他の使用状態を示す分解断面図である。
【図４】本考案に係るメモリカード収納ケースの他の使用状態を示す断面図である。
【図５】従来のメモリカード収納ケースの分解斜視図である。
【図６】従来のメモリカード収納ケースの使用状態を示す分解断面図である。
【符号の説明】
【００１８】
１０        ベース
１１        第１収納部
１２        第２収納部
１３        第３収納部
１４        係合リブ
１５        ストッパー
１６        位置決めブロック
２０        カバー体
２１        係合溝
２２        ストッパー
４０        ＳＤカード
４１        ミニＳＤカード
４２        トランスフラッシュカード
５０        ベース
５１        第１収納部
５２        第２収納部
５３        係合リブ
５４        ストッパー
６０        カバー体
６１        係合溝
７０        ＳＤカード
【図１】
0003115674.tif 000003
【図２】
0003115674.tif 000004
【図３】
0003115674.tif 000005
【図４】
0003115674.tif 000006
【図５】
0003115674.tif 000007
【図６】
0003115674.tif 000008